(57)【要約】【課題】  購買意欲を刺激する魅力に富んだ手提げ型パッケージ花火を提供する。また、キャラクターの訴求力を最大限度に利用することができる手提げ型パッケージ花火を提供する。【解決手段】  玩具花火１１を台紙１２に固定手段１３によって固定し、それを包装手段に収めて成る手提げ型パッケージ花火について、包装手段として、１面が閉じており、収めた花火を見せるための商品窓２１を他面に設けたシート類より成る外装袋１７を使用し、外装袋１７の上部に提げ手２５を設けて構成する。【選択図】          図１
0003102657.tif 000002
【実用新案登録請求の範囲】
【請求項１】
玩具花火を台紙に固定手段によって固定し、それを包装手段に収めて成るパッケージ花火であって、包装手段として、１面が閉じ、収めた花火を見せるための商品窓を他面に設けたシート類より成る外装袋を使用し、外装袋の上部に提げ手を設けたことを特徴とする手提げ型パッケージ花火。
【請求項２】
外装袋の閉じている１面を表面としてキャラクターを印刷し、外装袋の他面を裏面として１面と同じキャラクターをその一部が商品窓に突き出るように設けた構成を有する請求項１記載の手提げ型パッケージ花火。
【請求項３】
玩具花火は、透明な内装袋により予め包装されていて防湿性が与えられており、個々の内装袋に点火方法が印刷されている請求項１記載の手提げ型パッケージ花火。
【考案の詳細な説明】
【技術分野】
【０００１】
本考案は、玩具花火を台紙に固定手段によって固定し、それを包装手段に収めて成る手提げ型パッケージ花火に関するものである。
【背景技術】
【０００２】
玩具花火の包装は簡易であり、例えば一般的には台紙に花火を固定して、それを透明な包装袋に収め、開口を封じた構成を有する。開口を封じる封止片が提げ手を兼ねるものもあるが、ビニール袋を通して内部の花火が一見して分かるというのが一般的である。そのため商品として雑貨的となり、購買意欲を刺激するだけの魅力が乏しいという欠点があった。また台紙を使用した商品も存在したが、台紙の機能は専ら花火の保護にあり、台紙表面の装飾も花火に隠れて目立たず、商品の魅力を高めるものではなかった。
【０００３】
【特許文献１】特開平９−３２８６４７
【考案の開示】
【考案が解決しようとする課題】
【０００４】
本考案は前記の点に着目してなされたもので、その課題は、購買意欲を刺激する魅力に富んだ手提げ型パッケージ花火を提供することである。また本考案の他の課題は、キャラクターの訴求力を最大限度に利用することができる手提げ型パッケージ花火を提供することである。
【課題を解決するための手段】
【０００５】
前記の課題を解決するため本考案は、玩具花火を台紙に固定手段によって固定し、それを包装手段に収めて成る手提げ型パッケージ花火について、包装手段として、１面が閉
じ、収めた花火を見せるための商品窓を他面に設けたシート類より成る外装袋を使用し、外装袋の上部に提げ手を設けるという手段を講じたものである。
【０００６】
玩具花火は予め固定手段により台紙に固定しておかれる。この点は従来の方式と同様で良い。しかも、台紙の裏面には花火の取り扱い方、遊び方、注意書きその他の事項を印刷したものを使用することができる。また台紙の表面には任意の装飾を施すことができる。花火を台紙に固定する手段は従来と同様で良く、例えば透明なセロファンテープによるもの、ステープル止め、それらの併用等の方法を適用することができる。
【０００７】
包装手段としての外装袋は、厚紙のようなシート状のものを袋状に折り曲げて形成することができる。外装体は、従って、玩具花火を固定した台紙を収容可能な大きさ、形状を有しており、１面は閉じているが、他面は商品窓となっていて、内部に収めた玩具花火を外から透視可能となっている。この外装袋の閉じている１面にはキャラクターを印刷し、商品の顔とすることができる。これにより、キャラクターの持っている訴求力を利用し
て、玩具花火を魅力あるものとすることができ、この面が商品の表面となる。また、外装袋の他面を裏面として、１面と同じキャラクターをその一部が商品窓に突き出るように設けることができ、これにより玩具花火をキャラクターによって飾ることができる。
【０００８】
また外装袋の上部には、提げ手を、プレス加工等の手段によって設けることができる。この提げ手は、別の提げ手となる部品を取り付ける必要はなく、外装袋の構成材料であるシート類を打ち抜いてブランクを形成する際に形成することができる。提げ手は、外装袋の１面と他面の両面に設けられることが望ましいけれども、構造上外装袋上部が１枚板となっている場合には１枚の板で表裏両面に形成される。
【０００９】
玩具花火は、透明な内装袋により予め包装されていて、防湿性が付与されており、この場合個々の内装袋に点火方法を印刷しておくことができる。内装袋は、予め何本ずつかの束になっている玩具花火を束ごと収めるものであり、個々の袋には、さらに、点火方法を印刷することができる。内装袋はいわゆるビニール袋のような合成樹脂製の透明袋であ
り、花火の束ごとに包むほか、台紙に固定した花火全部を包むことも可能である。
【考案の効果】
【００１０】
本考案は上記の如く構成されかつ作用するものであるから、外装袋に、花火を固定した台紙が収納されているので高級感を演出することが可能になり、キャラクターを外装袋に印刷することによって、玩具花火に訴求力を具備させ、購買意欲を刺激することができるとともに、花火の防湿性向上にも寄与する等、顕著な効果を奏する。
【考案を実施するための最良の形態】
【００１１】
以下図面を参照して本考案の実施形態を詳細に説明する。図１、図２において、１１は玩具花火の束、又は束になった玩具花火、１２は台紙を示しており、玩具花火の束１１は予め内装袋１４により個々の束ごとに包まれ、その上で台紙１２の表面にセロファンテープを用いた固定手段１３により固定されている。内装袋１４はビニール袋その他の合成樹脂袋から成り、防湿性を有する。台紙１２の、玩具花火側の表面には任意の着色その他の装飾を施すことができるほか、台紙１２の裏面には、玩具花火の使用説明や、使用上の注意書きその他の事項１５を記載することができる。図２参照。
【００１２】
包装手段である外装袋１７は、玩具花火を固定した台紙全体をそのまま収められる大きさ及び形状を有しており、その１面は閉じていて表面１８を構成し（図１）、他面には商品窓２１が開けてあって裏面１９を構成している（図２）。表面１８にはキャラクター２２が、大部分を占める大きさで目立つように印刷されており、裏面１９には、表面１８と同様のキャラクター２２´が、その一部が商品窓２１に突き出るように設けられている。商品窓２１は透明板２３で覆ってある。また、２４はキャラクターを型取った飾り部を有する絵型花火を示す。
【００１３】
外装袋１７は上部が開き得る状態の紙袋構造を持っており、ここを開いて前記台紙１２に固定した玩具花火１１を中に収めるものである。同時に、外装袋１７の上部には、提げ手２５が設けられている。例示の提げ手２５は、外装袋１７をプレス加工したときに設けるもので、手で持ち良い大きさに打ち抜かれ、一部に、係合穴２６への係合のための係合片２７を有している。２８はフック掛け凹部である。
【００１４】
よって本考案に係る手提げ型パッケージ花火の表面にはキャラクター２２が大きく印刷されており、裏面１９では表面１８と同様のキャラクター２２´が、花火１１を透視させている商品窓２１に突き出るように印刷されているので、非常に斬新な花火としての外観を具備することと成る。従来の、頼りないビニール袋状包装と異なり、本考案のものはシート類を材料とするパッケージ花火の形態を取るので高級感があり、魅力に富んだ商品となる。
【図面の簡単な説明】
【００１５】
【図１】本考案に係る手提げ型パッケージ花火の１例を示す表側斜視図。
【図２】同じく裏側斜視図。
【符号の説明】
【００１６】
１１  玩具花火の束又は束状の玩具花火
１２  台紙
１３  固定手段
１４  内装袋
１５  事項
１７  外装袋
１８  表面
１９  裏面
２１  商品窓
２２、２２´  キャラクター
２４  絵型花火
２５  提げ手
【図１】
0003102657.tif 000003
【図２】
0003102657.tif 000004